(57)【要約】【課題】  書き換え可能な表示媒体において、低コストでセキュリティが確保された表示媒体を提供することを課題とする。【解決手段】  表示媒体１２と駆動制御装置１４は着脱可能とされており、駆動制御装置１４には、充電器３８に接続された駆動電源３６と制御回路３４とが設けられている。このように、表示媒体１２から着脱可能とされた駆動制御装置１４に、駆動電源３６や制御回路３４を設け、表示媒体１２には、透明電極２４、電極２６のみを設けることで、表示媒体１２の低コスト化が図れる。これにより、配布用に適した低コストの表示媒体１２を得ることができる。【選択図】    図１
2007057983.tif 000002
【特許請求の範囲】
【請求項１】
メモリ性を有する画素部のみを備えた画像表示媒体と、前記画像表示媒体に着脱可能とされ前記画素部に画像情報に応じた電圧を印加し表示内容を書き換える駆動制御装置と、を備えた画像表示装置において、
前記駆動制御装置は、前記画像表示媒体の表示内容の書き換えを行う電力を供給する駆動電源と、前記駆動電源から供給される前記画素部への電圧を切り替えて前記画像表示媒体の表示内容を書き換える制御回路と、を有することを特徴とする画像表示装置。
【請求項２】
前記駆動電源には、外部から供給された電力を増幅して該駆動電源に供給する駆動回路が接続されていることを特徴とする請求項１に記載の画像表示装置。
【請求項３】
前記制御回路は、前記画像表示媒体に電気的に接続されると、該画像表示媒体に接続されたことを検知して該画像表示媒体の表示内容を書き換えることを特徴とする請求項１又は請求項２に記載の画像表示装置。
【請求項４】
前記画像表示媒体と前記駆動制御装置の接続状態を検知する検知手段は、前記駆動制御装置に設けられていることを特徴とする請求項３に記載の画像表示装置。
【請求項５】
前記画像表示媒体は、識別情報が格納された識別情報格納部を備え、前記駆動制御装置には、前記識別情報格納部の識別情報を読み取る識別情報読取部が設けられ、該識別情報に基づいて前記画像表示媒体の表示内容を書き換えることを特徴とする請求項１〜請求項４のいずれか１項に記載の画像表示装置。
【請求項６】
前記駆動回路は、外部から供給される電力が充電される充電器であることを特徴とする請求項２〜請求項５のいずれか１項に記載の画像表示装置。
【請求項７】
前記充電器は前記制御回路に接続されており、前記画像表示媒体の表示内容に基づいて充電量が制御されることを特徴とする請求項６に記載の画像表示装置。
【請求項８】
前記充電器は、一回の表示内容の書き換えに必要な電力が充電されることを特徴とする請求項６又は請求項７に記載の画像表示装置。
【請求項９】
前記充電器は複数設けられ、一方に外部からの電力が充電され、他方で前記駆動電源に電力を供給することを特徴とする請求項６〜請求項８のいずれか１項に記載の画像表示装置。
【請求項１０】
前記充電器は、該充電器に蓄えられた電力を昇圧する昇圧手段に接続したことを特徴とする請求項６〜請求項９のいずれか１項に記載の画像表示装置。
【請求項１１】
前記充電器には、前記制御回路に接続され電力の充電量を検出する検出手段が設けられており、該制御回路は前記充電器の充電量に基づいて表示内容の書き換え条件を決めることを特徴とする請求項６〜請求項１０のいずれか１項に記載の画像表示装置。
【請求項１２】
前記画像表示媒体には、外部から供給した電力を充電する充電器が設けられていることを特徴とする請求項１〜請求項５のいずれか１項に記載の画像表示装置。
【請求項１３】
前記充電器は、一回の表示内容の書き換えに必要な電力が充電されることを特徴とする請求項１２に記載の画像表示装置。
【請求項１４】
前記充電器は複数設けられ、一方に外部からの電力が充電され、他方で前記画像表示媒体に電力を供給することを特徴とする請求項１２又は請求項１３に記載の画像表示装置。
【請求項１５】
前記駆動制御装置は、画像情報を供給する画像情報供給装置に接続されており、前記画像情報供給装置から画像情報及び電力が供給されることを特徴とする請求項１〜請求項１４のいずれか１項に記載の画像表示装置。
【請求項１６】
前記画像情報供給装置と前記駆動制御装置とは、ＵＳＢで接続されていることを特徴とする請求項１４に記載の画像表示装置。
【発明の詳細な説明】
【技術分野】
【０００１】
本発明は、表示媒体と駆動制御装置で構成された画像表示装置に関する。
【背景技術】
【０００２】
電子ペーパーのシステムにおいて、画像が表示される表示体（シート状の表示媒体）と、表示体に画像を書き込む書き込み機（駆動制御装置）が、着脱可能とされたものが提案されている（特許文献１参照）。この表示体の基板には、表示内容を書き換えるためのスイッチング回路が設けられているため、表示体のコストが高くなっている。また、表示体には駆動ＩＣが設けられていないため、表示内容のセキュリティを確保できない。
【特許文献１】特開２０００−５６７０５号公報
【発明の開示】
【発明が解決しようとする課題】
【０００３】
本発明は、これらの課題を解決するために、書き換え可能な表示媒体において、低コストでセキュリティが確保された表示媒体を提供することを目的とする。
【課題を解決するための手段】
【０００４】
上記目的を達成するために請求項１に記載の発明は、メモリ性を有する画素部のみを備えた画像表示媒体と、前記画像表示媒体に着脱可能とされ前記画素部に画像情報に応じた電圧を印加し表示内容を書き換える駆動制御装置と、を備えた画像表示装置において、前記駆動制御装置は、前記画像表示媒体の表示内容の書き換えを行う電力を供給する駆動電源と、前記駆動電源から供給される前記画素部への電圧を切り替えて前記画像表示媒体の表示内容を書き換える制御回路と、を有することを特徴としている。
【０００５】
請求項１に記載の発明によれば、メモリ性を有する画素部のみを備えた画像表示媒体は、駆動制御装置が着脱可能とされている。駆動制御装置には、駆動電源と制御回路が設けられており、制御回路で駆動電源から画素部へ供給される電圧を切り替えて、画像表示媒体の表示内容を書き換える。
【０００６】
このように、画像表示媒体に対して着脱可能とされた駆動制御装置に、表示内容を書き換えるために必要な駆動電源及び制御回路を設けることで、画像表示媒体の低コスト化が図れる。これにより、配布用に適した低コストの画像表示媒体を得ることができる。
【０００７】
請求項２に記載の発明は、前記駆動電源には、外部から供給された電力を増幅して該駆動電源に供給する駆動回路が接続されていることを特徴としている。
【０００８】
請求項２に記載の発明によれば、駆動電源に接続された駆動回路によって、外部から供給された電力が増幅されて、駆動電源に供給される。これにより、駆動電源に外部から電力を供給するための電源コードが不要となる。
【０００９】
請求項３に記載の発明は、前記制御回路は、前記画像表示媒体に電気的に接続されると、該画像表示媒体に接続されたことを検知して該画像表示媒体の表示内容を書き換えることを特徴としている。
【００１０】
請求項３に記載の発明によれば、画像表示媒体と駆動制御装置を電気的に接続させると、駆動制御装置に画像表示媒体が接続されたのを検知して、画像表示媒体の表示内容を書き換える。これにより、画像表示媒体に駆動制御装置を接続させるだけで、画像表示媒体の表示内容が書き換えられるので、画像表示媒体又は駆動制御装置に表示内容を書き換えるためのスイッチを設ける必要がない。また、画像表示媒体と駆動制御装置の接続が完全でない状態で、画像表示媒体の表示内容が転送されてしまうことがない。
【００１１】
請求項４に記載の発明は、前記画像表示媒体と前記駆動制御装置の接続状態を検知する検知手段は、前記駆動制御装置に設けられていることを特徴としている。
【００１２】
請求項４に記載の発明によれば、駆動制御装置に備えられた検知手段によって、画像表示装置と駆動制御装置が接続されたことを検知する。検知手段を駆動制御装置に設けることで、検知手段で画像表示媒体と駆動制御装置との接続が検知されると、その信号を駆動制御装置に設けられた制御回路へ送ることで、制御回路によって表示内容の書き換えが行われる。つまり、検知手段を表示媒体に設けることで、表示媒体の構成が複雑となる恐れがない。
【００１３】
請求項５に記載の発明は、前記画像表示媒体は、識別情報が格納された識別情報格納部を備え、前記駆動制御装置には、前記識別情報格納部の識別情報を読み取る識別情報読取部が設けられ、該識別情報に基づいて前記画像表示媒体の表示内容を書き換えることを特徴としている。
【００１４】
請求項５に記載の発明によれば、識別情報読取部で画像表示媒体に設けられた識別情報格納部に格納された識別情報を読み取り、画像表示媒体の表示内容を書き換える。
【００１５】
これにより、画像表示媒体に設けられた識別情報に応じた表示内容の書き換えが可能となるので、セキュリティが確保できる。
【００１６】
請求項６に記載の発明は、前記駆動回路は、外部から供給される電力が充電される充電器であることを特徴としている。
【００１７】
請求項６に記載の発明によれば、外部から供給される電力が充電器に充電され、充電器から駆動電源に電力が供給される。これにより、表示の書き換えに必要な電力が充電器に充電された状態で、駆動制御装置から画像表示媒体へ情報が送られる（表示内容の書き換えが行われる）ので、電源コードがなくても電力が不十分な状態で表示内容を書き換えてしまう恐れがない。
【００１８】
請求項７に記載の発明は、前記充電器は前記制御回路に接続されており、前記画像表示媒体に表示される表示内容の情報量に基づいて充電量が制御されることを特徴としている。
【００１９】
請求項７に記載の発明によれば、充電器には画像表示媒体に表示される表示内容に基づいた電力が充電される。これにより、表示内容の情報量が少ない場合には、充電器には少ない充電しか行われないので充電時間が短縮される。また、充電器には必要以上に電力が充電されていないので、過充電の恐れがなく安全性が向上する。
【００２０】
請求項８に記載の発明は、前記充電器は、一回の表示内容の書き換えに必要な電力が充電されることを特徴としている。
【００２１】
請求項８に記載の発明によれば、一回の表示内容の書き換えに必要な電力のみを充電器に充電させることで、充電時間を短縮させることができる。また、一回分の表示内容を書き換えた時点で充電器には電力が充電されていない（残っていない）状態になるので、書き換え目的以外の情報が駆動制御装置から画像表示媒体へ送られてしまう恐れがない。したがって、セキュリティ性の向上に繋がる。
【００２２】
請求項９に記載の発明は、前記充電器は複数設けられ、一方に外部からの電力が充電され、他方で前記駆動電源に電力を供給することを特徴としている。
【００２３】
請求項９に記載の発明によれば、複数の充電器の一方には、外部からの電力が充電され、他方で駆動電源に電力が供給される。これにより、一方の充電器に外部からの電力を充電しながら、他方の充電器で駆動電源に電力を供給することが可能となるので、表示内容を書き換える効率が上昇する。
【００２４】
また、一方の充電器には十分に電力が充電されるため、充電器に電力が所定量以上充電されていない状態で駆動電源に電力を供給してしまうことがない。つまり、駆動電源に十分な電力が供給されない状態で表示内容を書き換える恐れがないため、書き換えた表示内容の画質が安定する。
【００２５】
請求項１０に記載の発明は、前記充電器は、該充電器に蓄えられた電力を昇圧する昇圧手段に接続したことを特徴としている。
【００２６】
請求項１０に記載の発明によれば、充電器に充電された電力（電荷）が、昇圧手段によって昇圧される。これにより、充電器に外部から入力する電力値を低く抑えることができるので、安全性の向上に繋がる。
【００２７】
請求項１１に記載の発明は、前記充電器には、前記制御回路に接続され電力の充電量を検出する検出手段が設けられており、該制御回路は前記充電器の充電量に基づいて表示内容の書き換え条件を決めることを特徴としている。
【００２８】
請求項１１に記載の発明によれば、充電器に設けられた検出手段によって充電器の充電量が検出され、この検出手段が接続された制御回路によって、充電量に基づいて、書き換える表示内容が制御される。これにより、表示内容の書き換え条件を充電器の充電量に基づいて決めることができる。例えば、充電量に応じて、表示駆動時間、駆動画素、表示書換領域を制御する。
【００２９】
請求項１２に記載の発明は、前記画像表示媒体には、外部から供給した電力を充電する充電器が設けられていることを特徴としている。
【００３０】
請求項１２に記載の発明によれば、画像表示媒体に充電器を備えることで、画像表示媒体を駆動制御装置から外した状態で画像表示媒体の表示内容を消去したりするなどの作業が行える。
【００３１】
また、駆動制御装置側に充電器を設けないことで、駆動制御装置を低コストで製造することができる。
【００３２】
請求項１３に記載の発明は、前記充電器は、一回の表示内容の書き換えに必要な電力が充電されることを特徴としている。
【００３３】
請求項１３に記載の発明によれば、一回の表示内容の書き換えに必要な電力のみを充電器に充電させることで、充電時間を短縮させることができる。
【００３４】
請求項１４に記載の発明は、前記充電器は複数設けられ、一方に外部からの電力が充電され、他方で前記画像表示媒体に電力を供給することを特徴としている。
【００３５】
請求項１４に記載の発明によれば、複数の充電器の一方には、外部からの電力が充電され、他方の充電器で画像表示媒体に駆動電力を供給することが可能となるので、表示内容の書き換え効率が上昇する。
【００３６】
請求項１５に記載の発明は、前記駆動制御装置は、画像情報を供給する画像情報供給装置に接続されており、前記画像情報供給装置から画像情報及び電力が供給されることを特徴としている。
【００３７】
請求項１５に記載の発明によれば、画像情報を供給する画像情報供給装置から、駆動制御装置を駆動させるための電力と画像情報が同時に供給される。これにより、画像情報と電力を別々に供給する場合と比較して、ケーブルの本数が少なくて済むのでコストダウンに繋がる。
【００３８】
請求項１６に記載の発明は、前記画像情報供給装置と前記駆動制御装置とは、ＵＳＢで接続されていることを特徴としている。
【００３９】
請求項１６に記載の発明によれば、ＵＳＢのように、汎用品を用いて画像情報供給装置と駆動制御装置を接続することで、コストを低減できる。
【発明の効果】
【００４０】
本発明は上記構成としたので、書き換え可能な表示媒体において、低コストでセキュリティが確保された表示媒体が得られる。
【発明を実施するための最良の形態】
【００４１】
以下、図面を参照して本発明の第１の実施形態を説明する。図１には、本実施形態に係る画像表示装置１０のブロック図が示されている。
【００４２】
画像表示装置１０は、表示媒体１２及び駆動制御装置１４を備えている。画像表示装置１０は、駆動制御装置１４から送信された画像情報に基づいて、表示媒体１２に画像を表示する。
【００４３】
まず、表示媒体１２の構成について説明する。図２に示すように、表示媒体１２は、画像が表示される側の透明な表示基板１６と、この表示基板１６と所定の間隔を有して対向する背面基板１８とを有している。表示基板１６と背面基板１８の間隔は、図示しない間隙保持部材によって微小かつ一定に保持されており、この間隙には、互いに異なる帯電特性の黒色粒子２０及び白色粒子２２（画素）が所定の電位に帯電されて封入されている。
【００４４】
表示基板１６は、可視光を透過させる材質で構成され、例えば透明なガラス、フィルム、プラスチック製の板材、例えばアクリル材などを用いることができる。
【００４５】
表示基板１６の背面基板１８と対向する側の面には、透明電極２４が形成されており、背面基板１８の表示基板１６と対向する側の面には、電極２６が形成されている。透明電極２４及び電極２６は、コネクタ部３０及び接続部３２を介して駆動制御装置１４（図１参照）に設けられた制御回路３４に接続される。
【００４６】
この構成により、電圧を印加する透明電極２４及び電極２６を選択し、電界を切り替えることで、黒色粒子２０及び白色粒子２２が入れ替わり、表示基板１６を通して画像が表示される。この黒色粒子２０、白色粒子２２は所定の電位に帯電されているため、電圧を落としても移動しない。つまり、後述する駆動制御装置１４を表示媒体１２から外しても、メモリ性を保つ。
【００４７】
なお、表示基板１６に形成される透明電極２４は、例えばＩＴＯ電極を用いることができるが、透明で電圧を印加することができる電極であれば他の材料を用いた電極でもよい。また、背面基板１８に形成された電極２６は、必ずしも全面透明である必要は無く、銅箔などの不透明な物質を用いた電極でもよい。
【００４８】
黒色粒子２０や白色粒子２２は、均一な帯電量をもつ流動性に優れた粒子が好ましく、粒径が均一な球形の粒子がよい。例えば、イソプロピルトリメトキシシラン処理したチタニアの微粉末を重量比１００対０．４の割合で混合した体積平均粒径２０μｍの酸化チタン含有架橋ポリメチルメタクリレートの球状微粒子（積水化成品工業（株）製テクポリマーＭＢＸ−２０−ホワイトを分級）や体積平均粒径２０μｍのカーボン含有架橋ポリメチルメタクリレートの球状微粒子（積水化成品工業（株）製テクポリマーＭＢＸ−２０−ブラックを分級）のような粒径、球形粒子に帯電制御を施した形態の粒子を用いることにより電界に追従し移動のしやすい粒子を用いることができる。
【００４９】
黒色粒子２０及び白色粒子２２は、各々帯電特性が異なる粒子を用いる。例えば黒色粒子２０が負に帯電する特性を有し、白色粒子２２が正に帯電する特性を有する場合には、負の電圧を表示基板１６側に印加することにより、黒色粒子２０を背面基板１８側に移動させると共に白色粒子２２を表示基板１６側へ移動させることができ、正の電圧を表示基板１６側に印加することにより、黒色粒子２０を表示基板１６側に移動させると共に白色粒子２２を背面基板１８側へ移動させることができる。このように、黒色粒子２０及び白色粒子２２を移動させることで、表示基板１６に画像が表示されるようになっている。
【００５０】
図３に示すように、表示媒体１２は、列電極駆動部３０及び行電極駆動部３２を備えている。列電極駆動部２５及び行電極駆動部２３は、後述する駆動制御装置１４に設けられた駆動電源３６及び、駆動電源３６から供給される電力により作動する制御回路３４に接続されている。
【００５１】
図４に示すように、列電極駆動部２５は、表示媒体１２に設けられている電極２６の数と同数のスイッチング２７を備えており、駆動電源３６から個々のスイッチング２７に、各々電力が供給される。なお、個々のスイッチング２７には制御回路３４から供給された制御信号も入力され、個々のスイッチング２７のオンオフは制御回路３４によって制御される。
【００５２】
また、行電極駆動部２３は、表示媒体１２に設けられている透明電極２４の数と同数のスイッチング２９を備えており、駆動電源３６から個々のスイッチング２９に、各々電力が供給される。なお、個々のスイッチング２９には制御装置２８から供給された制御信号も入力され、個々のスイッチング２９のオンオフは制御装置２８によって制御される。
【００５３】
また、図１に示すように、表示基板１６にはＩＤタグ２８が取り付けられている。ＩＤタグ２８は、ＩＣチップを備えている。このＩＣチップには、表示媒体１２固有の固体認識番号の外、書き込み方式、書き込み条件、及び表示媒体１２の特性に関する種々の情報が記憶されている。なお、書き込み条件としては、駆動電圧、パルス印加時間、パルス周期、光量等が挙げられる。また、表示媒体１２の特性としては、表示媒体１２のサイズ、解像度、表示色（カラー／白黒）等が挙げられる。
【００５４】
ＩＣチップには、保存（再書き込み禁止）に関する情報、パスワード等を記憶しておくこともできる。例えば、電子ペーパーを利用した電子チケットや電子証書等の場合には、特殊なパス機能を有する書き込み装置にだけ接続可能とする情報を記憶しておくことにより、不正接続や不正コピーを防止して、セキュリティを確保することができる。
【００５５】
なお、これらの情報は、１つのＩＣチップに全て記憶されていてもよく、複数のＩＣチップに分散されて記憶されていてもよい。
【００５６】
また、表示媒体１２には、画像書き込み時及び、表示媒体１２に表示されている表示内容を書き換える際に、後述する駆動制御装置１４に電気的に接続するためのコネクタ部３０が取り付けられている。
【００５７】
次に、駆動制御装置１４について説明する。
【００５８】
駆動制御装置１４は、表示媒体１２のコネクタ部３０と電気的に接続するための接続部３２を備えている。この接続部３２は、制御回路３４に接続されている。
【００５９】
このように、表示媒体１２と駆動制御装置１４は、コネクタ部３０及び接続部３２によって着脱可能となっている。これにより、表示媒体１２に画像を表示させたり、表示媒体１２に表示されている表示内容を書き換えたりする際には、表示媒体１２のコネクタ部３０に、駆動制御装置１４の接続部３２を接続させればよく、表示媒体１２の表示内容を書き換える必要がないときには、表示媒体１２から駆動制御装置１４を外す（切り離す）ことができる。上述したように、表示媒体１２はメモリ性を有するため、駆動制御装置１４から外しても画像が保存される。
【００６０】
また、コネクタ部３０と接続部３２が電気的に接続されると、接続部３２に流れる電流値が制御回路３４によって検出され、制御回路３４からの信号によって、表示媒体１２の表示内容が書き換えられるようになっている。
【００６１】
なお、本実施形態では、接続することで抵抗が変化し、これによる接続部３２に流れる電流値の変化を検出して、駆動制御装置１４と表示媒体１２の接続状態を検知する構成としたが、接続部３２又はコネクタ部３０に圧力センサを設け、コネクタ部３０と接続部３２の接続によって圧力センサが押圧されたときの信号を検知することで、駆動制御装置１４と表示媒体１２の接続を検知するようにしてもよい。このとき、接続部３２側に圧力センサを設け、信号を駆動制御装置１４の制御回路３４に送信する構成とすることで、表示媒体１２側に信号を検知する制御回路等を設ける必要がなくなり、表示媒体１２の構成が複雑とならない。
【００６２】
一方、制御回路３４は、画像情報格納装置（ＰＣ）４０に接続されている。制御回路３４によって、ＰＣ４０から入力されたデータが書き込み用の画像情報に変換されると共に、後述する媒体ＩＤ判別回路４４からの情報に基づいて、電圧が印加される透明電極２４（図２参照）及び電極２６が選択される。また、制御回路３４には、ＰＣ４０から制御回路３４自身を駆動させるために必要な電圧（本実施形態では５Ｖ）が供給されるようになっている。
【００６３】
さらに、制御回路３４には駆動電源３６が接続されており、表示媒体１２に画像情報に応じた画像を表示させるために必要な電力が駆動電源３６から供給される。駆動電源３６には、ＰＣ４０から電力が供給されるようになっており、この電力によって駆動電源３６がオンされる。また、駆動電源３６には、充電器３８が接続されており、充電器３８に充電された電力が供給される。
【００６４】
なお、本発明では、充電器３８から駆動電源３６へ電力を供給するようになっているが、外部の電源コードで電力を供給することも可能である。
【００６５】
充電器３８には、一例として図５に示すように、ダイオードＳＷ１〜ＳＷ４及びコンデンサＣ１、Ｃ２によってチャージポンプとされた電源回路４２が設けられており、ＰＣ４０から供給される電力はチャージポンプによって昇圧されながら、充電器３８に充電される。これにより、充電器３８に所定量の電力が充電されるまでの時間が、電源回路４２を接続しない場合（ＰＣ４０からの電力をそのままの状態で充電した場合）と比較して短縮される。
【００６６】
また、充電器３８は制御回路３４に接続されており、表示媒体１２に書き換える表示内容に応じて充電量が制御されるようになっている。本実施形態では、一回の表示内容の書き換えに必要な電力が充電されるようになっている。
【００６７】
また、図１に示すように、駆動制御装置１４には、媒体ＩＤ判別回路４４が設けられている。この媒体ＩＤ判別回路４４には、駆動制御装置１４を表示媒体１２に接続したとき、表示媒体１２のＩＤタグ２８に格納された識別情報が送信されるようになっている。媒体ＩＤ判別回路４４は制御回路３４に接続されており、ＩＤタグ２８の識別情報に応じて、書き込み条件に応じた電圧を印加する。このように、表示媒体１２のＩＤタグ２８に記憶された識別情報に応じて表示内容を書き換えるので、セキュリティの確保ができる。例えば、Ａさんの表示媒体１２には、ＡさんのＩＤが検知されないと、表示内容の書き換えが行われない。
【００６８】
駆動制御装置１４は、ＵＳＢケーブル４６を介してＰＣ４０に接続されている。ＰＣ４０は、表示媒体１２に表示させるべき画像情報が格納されており、ＵＳＢケーブル４６を介してこの画像情報を転送すると同時に、駆動制御装置１４に電力を供給する。このように、ＰＣ４０と駆動制御装置１４の接続に、汎用品のＵＳＢケーブル４６を用いることで、コストを低減できる。
【００６９】
なお、本実施形態では、ＰＣ４０と駆動制御装置１４をＵＳＢケーブル４６で接続する構成としたが、ＰＣ４０と駆動制御装置１４の接続に、必ずしもＵＳＢケーブル４６を用いる必要はない。
【００７０】
ここで、図６を用いて、画像表示装置１０の表示内容の書き換えの動作について説明する。
【００７１】
まず、ステップ１００で、ＰＣ４０から駆動制御装置１４に供給された電力によって、制御回路３４の電源がＯＮになる。ステップ１０２では、制御回路３４からの信号によって、充電器３８にＰＣ４０から供給される電力の充電が開始される。このとき、制御回路３４によって、充電器３８に充電される電力量が制御されており、画像情報に応じて必要な電力が充電器３８に充電されると、ステップ１０４へ進む。
【００７２】
ステップ１０４では、充電器３８から駆動電源３６に表示内容の書き換えに必要な電力が供給され、駆動電源３６から制御回路３４へこの電力が供給される。
【００７３】
そして、表示媒体１２が駆動制御装置１４に接続されると、ＩＤタグ２８の情報が媒体ＩＤ判別回路４４に送信され、ＩＤタグの情報に応じた信号が制御回路３４へ送られる。
【００７４】
さらに、ステップ１０６で、制御回路３４から透明電極２４及び電極２６に電圧が印加されて、表示媒体１２の表示内容が書き換えられる。
【００７５】
次に、本発明の第１の実施形態の作用について説明する。
【００７６】
表示媒体１２と駆動制御装置１４は着脱可能とされており、駆動制御装置１４には、充電器３８に接続された駆動電源３６と制御回路３４とが設けられている。そして、駆動制御装置１４の外部（ＰＣ４０）から供給された電力が充電器３８に充電され、充電器３８に充電された電力が駆動電源３６に供給されて、制御回路３４へ供給される。また、制御回路３４で駆動電源３６から、黒色粒子２０及び白色粒子２２を帯電させる透明電極２４及び電極２６（図２参照）へ供給される電力を切り替えることにより、表示媒体１２に表示されている表示内容が書き換えられる。
【００７７】
このように、表示媒体１２から着脱可能とされた駆動制御装置１４に、駆動電源３６や制御回路３４を設け、表示媒体１２には、透明電極２４、電極２６のみを設けることで、表示媒体１２の低コスト化が図れる。これにより、配布用に適した低コストの表示媒体１２を得ることができる。
【００７８】
また、駆動制御装置１４に表示媒体１２が接続されると、表示内容の書き換えが開始される構成とすることで、表示媒体１２又は駆動制御装置１４に表示内容を書き換えるためのスイッチを設ける必要がない。さらに、表示媒体１２と駆動制御装置１４の接続が完全でない状態で、駆動制御装置１４から表示媒体１２に表示内容が転送されてしまうことがない。
【００７９】
また、ＰＣ４０から供給される電力を充電器３８に充電し、この充電器３８から駆動電源３６に電力を供給して、さらに駆動電源３６から制御回路３４に電力を供給することで、表示内容を書き換える際に必要な電力が充電器３８に充電された状態で、表示内容の書き換えが行われる。したがって、電力が不十分な状態で表示内容を書き換えてしまう恐れがない。
【００８０】
なお、充電器３８には表示媒体１２に表示される表示内容の情報量に基づいた電力が充電されるようになっている。つまり、書き換える表示内容の情報量が少ない場合には、充電器３８には少ない充電しか行われないので充電時間が短縮される。また、充電器３８には必要以上に電力が充電されていないので、過充電の恐れがなく安全性が向上する。さらに、表示内容の書き換え条件を充電器３８の充電量に基づいて決めることができる。例えば、充電量に応じて表示駆動時間、駆動画素、表示書き換え領域を変えることが可能となる。
【００８１】
本実施形態では、一回の表示内容の書き換えに必要な電力のみを充電器３８に充電させるようになっている。これにより、更に充電時間を短縮することができる。また、表示内容を書き換えた時点で充電器３８には電力が残っていない状態になるので、書き換え目的以外の表示内容が駆動制御装置１４から表示媒体１２へ送られてしまう恐れがない。したがって、セキュリティ性の向上に繋がる。
【００８２】
なお、本実施形態では、駆動制御装置１４が表示媒体１２に接続されたのを検知して、表示媒体１２の表示内容を書き換える構成としたが、駆動制御装置１４が表示媒体１２に接続されたのを検知すると、制御回路３４によってＰＣ４０になんらかの表示をさせることで、ユーザーに接続が完了したか否かを判断させてもよい。これにより、接続が完了した時点で表示媒体１２の表示内容をすぐに書き換えてしまうことがなく、書き換えのタイミングをユーザー側で決めることができる。
【００８３】
また、本実施形態では、駆動電源３６に充電器３８を接続して、充電器３８でＰＣ４０から供給される電力を充電して、駆動電源３６に供給する構成としたが、図５に示すような昇圧回路（チャージポンプ）を駆動電源３６に直接接続して、ＰＣから供給される電力を昇圧させながら駆動電源３６に供給するようにしてもよい。この場合、必要に応じて、各コンデンサに充電された電力を取り出して使うことができる。
【００８４】
さらに、本実施形態では、充電器３８には一回の表示内容の書き換えに必要な電力を充電する構成としたが、充電器３８に充電された電力量を検出する手段を設け、この検出手段で検出した電力量を電圧値として制御回路３４に送り、制御回路３４によって充電器３８の充電量に基づいて、表示媒体１２に表示させる表示内容を制御してもよい。つまり、充電器３８に表示内容全体を書き換える際に必要な電力が充電されていない状態で、表示内容の書き換えを行う必要があるときには、充電器３８の充電量に応じて、必要な部分だけ表示内容の書き換えを行うようにする。これにより、充電器３８に所定量の電力が充電されるまで待機する必要がない。
【００８５】
次に、本発明の第２の実施形態について説明する。なお、第１の実施形態と同様の部分についての説明は割愛する。
【００８６】
図７に示すように、駆動電源３６には充電部４８が接続されている。充電部４８はＰＣ４０に接続されており、充電部４８にはＰＣ４０から供給される電力が充電されるようになっている。
【００８７】
充電部４８は、複数（本実施形態では２つ）の充電器５０、５２を有しており、これらの充電器５０、５２は並列状態に接続されている。それぞれの充電器５０、５２とＰＣ４０の間には、スイッチＳＷ５、ＳＷ６が設けられている。また、充電器５０、５２と駆動電源３６の間には、スイッチＳＷ７、ＳＷ８が設けられている。
【００８８】
まず、スイッチＳＷ５をオンにして、スイッチＳＷ６、ＳＷ７、ＳＷ８をオフにすると、充電器５０にＰＣ４０から供給される電力が充電される。充電器５０に所定量の電力が充電されると、スイッチＳＷ５、ＳＷ８をオフにしてスイッチＳＷ６、ＳＷ７をオンにする。これにより、充電器５０に充電された電力が駆動電源３６に供給されると同時に、充電器５２には、ＰＣ４０から供給される電力が充電される。
【００８９】
このように、一方の充電器にＰＣ４０からの電力を充電しながら、他方の充電器に充電された電力を駆動電源３６に供給することが可能となるので、表示内容を書き換える効率が上昇する。
【００９０】
また、駆動電源３６に電力を供給する側の充電器には、十分に電力が充電されるため、充電器に電力が所定量以上充電されていない状態で、駆動電源３６に電力を供給してしまうことがない。つまり、駆動電源３６に十分な電力が供給されない状態で表示内容を書き換える恐れがないため、書き換えた表示内容の画質が安定する。
【００９１】
次に、本発明の第３の実施形態について説明する。なお、第１の実施形態と同様の部分についての説明は割愛する。
【００９２】
図８に示すように、表示媒体１２には充電器５４が設けられている。この充電器５４は、駆動制御装置１４に設けられた駆動電源３６及びＰＣ４０に接続されている。駆動電源３６とＰＣ４０の間にはスイッチＳＷ９が接続されており、充電器５４と駆動電源３６の間にはスイッチＳＷ１０が接続されている。
【００９３】
スイッチＳＷ９、ＳＷ１０をオンにすると、ＰＣ４０から供給される電力は駆動電源３６に供給されて、駆動電源３６がＯＮされる。このとき、ＰＣ４０からの電力は、充電器５４に供給されて充電される。
【００９４】
表示媒体１２に画像（表示内容）を表示させる際、又は、表示媒体１２に表示された表示内容を書き換える際には、スイッチＳＷ９をオフにしてスイッチＳＷ１０をオンにする。これにより、充電器５４に充電された電力が駆動電源３６に供給されて、駆動電源３６から制御回路３４に供給された電力によって、表示媒体１２に画像（表示内容）が表示されたり、表示内容が書き換えられる。
【００９５】
このように、表示媒体１２に充電器５４を設けることで、表示媒体１２に電力が充電された状態とすることができる。これにより、表示媒体１２を駆動制御装置１４から外した状態で、表示媒体１２に表示されている表示内容を消去したりするなど、電力を必要とする作業を行うことができる。また、駆動制御装置１４側に充電器５４を設けないことで、駆動制御装置１４を低コストで製造することができる。
【００９６】
次に、本発明の第４の実施形態について説明する。なお、第１の実施形態と同様の部分についての説明は割愛する。
【００９７】
図９に示すように、ＰＣ４０と駆動電源３６及び制御回路３４の間には、制御部５６が接続されている。これにより、ＰＣ４０の電力は、制御部５６へ供給されるようになっており、この電力が制御部５６からそれぞれ駆動電源３６及び制御回路３４に供給されるようになっている。
【００９８】
制御部５６と駆動電源３６の間には、スイッチＳＷ１１が接続されており、制御部５６と制御回路３４の間には、スイッチＳＷ１２が接続されている。スイッチＳＷ１１及びスイッチＳＷ１２のオン、オフは制御部５６によって制御されるようになっている。
【００９９】
表示媒体１２に画像（表示内容）を表示させたり、表示内容を書き換えたりするとき以外、つまり、駆動制御装置１４の動作時以外には、制御部５６によってスイッチＳＷ１１及びスイッチＳＷ１２がオフにされるようになっている。
【０１００】
また、表示媒体１２と駆動制御装置１４が接続されたとき、接続部３２（図１参照）に流れる電流値が、制御回路３４と信号線で接続された制御部５６によって検出されるようになっている。表示媒体１２はメモリ性のある表示媒体のため、書き換え時以外は電源からの電力供給を受ける必要がないので、駆動制御装置１４と表示媒体１２の接続が検知されたときのみ、制御部５６によってスイッチＳＷ１１及びスイッチＳＷ１２をオンにし、ＰＣ４０の電力を駆動電源３６及び制御回路３４に供給する。
【０１０１】
このような構成により、駆動制御装置１４に電力を供給する必要がないときに、ＰＣ４０から駆動制御装置１４に電力が供給されないようにすることが可能となるので、消費電力を抑えることができる。また、制御回路３４に接続された充電器３８（図１参照）に蓄えられた電力が消耗し、再度充電を必要とするまでの時間が長くなり（充電、放電のサイクルが長くなる）、充電器３８の長寿命化が図れる。
【図面の簡単な説明】
【０１０２】
【図１】本発明の第１の実施形態の画像表示装置を示すブロック図である。
【図２】本発明の第１の実施形態の表示媒体を示す側面断面図である。
【図３】本発明の第１の実施形態の表示媒体の概略構成図である。
【図４】本発明の第１の実施形態の表示媒体の概略構成を示すブロック図である。
【図５】本発明の第１の実施形態の駆動制御装置の構成の一部を示す回路図である。
【図６】本発明の第１の実施形態の画像表示装置の動作を説明するためのフローチャートである。
【図７】本発明の第２の実施形態の駆動制御装置に搭載される充電器の構成を示すブロック図である。
【図８】本発明の第３の実施形態の画像表示装置を示すブロック図である。
【図９】本発明の第４の実施形態の画像表示装置を示すブロック図である。
【符号の説明】
【０１０３】
１０  画像表示装置
１２  表示媒体（画像表示媒体）
１４  駆動制御装置
２０  黒色粒子（画素部）
２２  白色粒子（画素部）
２８  ＩＤタグ（識別情報格納部）
３０  コネクタ部（接続手段）
３２  接続部（接続手段）
３４  制御回路
３６  駆動電源
３８  充電器（駆動回路）
４０  画像情報格納装置（画像情報供給装置）
４２  電源回路（昇圧手段）
４４  媒体ＩＤ判別回路（識別情報読取部）
４６  ＵＳＢケーブル（ＵＳＢ）
４８  充電部（駆動回路、充電器）
５０  充電器（駆動回路）
５２  充電器（駆動回路）
５４  充電器（駆動回路）
【図１】
2007057983.tif 000003
【図２】
2007057983.tif 000004
【図３】
2007057983.tif 000005
【図４】
2007057983.tif 000006
【図５】
2007057983.tif 000007
【図６】
2007057983.tif 000008
【図７】
2007057983.tif 000009
【図８】
2007057983.tif 000010
【図９】
2007057983.tif 000011